(57)【要約】本開示は、ユーザ装置（ＵＥ）自体のモバイルデバイスアイデンティフィケーション（ＩＤ）に部分的に基づいて、ＵＥに関連する周辺デバイスに、仮想国際モバイル加入者アイデンティティ（ＶＩＭＳＩ）を割り当てるための技法を提供する。したがって、（例えば、短距離通信チップおよびセルラ無線機等の）デュアル無線機を用いて構成された周辺デバイスは、ＵＥから独立したセルラ接続性を確立するために、別個の加入者情報モジュール（ＳＩＭ）チップを必要としない。また、周辺デバイスは、ＵＥのモバイルＩＤに基づいてＶＩＭＳＩを割り振られるので、周辺デバイスはまた、ＵＥと同じ電話番号を維持することの利点を達成する。
2019520004.tif 000002
【特許請求の範囲】
【請求項１】
ネットワークエンティティにおいてインプリメントされるワイヤレス通信のための方法であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信することと、
前記要求に部分的に基づいて、前記ＵＥのモバイルデバイスアイデンティフィケーションを決定することと、
前記ＵＥの前記モバイルデバイスアイデンティフィケーションに基づいて、前記周辺デバイスに仮想識別子を割り振ることと、
前記ネットワークエンティティから前記ＵＥに、前記ペアにされた周辺デバイスのための前記仮想識別子を送信することと、
を備える、方法。
【請求項２】
前記ネットワークエンティティにおいて、前記ＵＥから補足サービスメッセージを受信することと、ここにおいて、前記補足サービスメッセージは、前記ＵＥとペアにされた複数の周辺デバイスからのアクティブな周辺デバイスの各々を識別する、
前記補足サービスメッセージに少なくとも部分的に基づいて、ネットワークルーティングセッティングを更新することと、
前記補足サービスメッセージを受信することに応答して、補足サービスアクノレッジメントを送信することと、
をさらに備える、請求項１に記載の方法。
【請求項３】
前記補足サービスメッセージは、前記ＵＥとペアにされた周辺デバイスの優先順位リストをさらに含む、請求項２に記載の方法。
【請求項４】
前記ネットワークエンティティにおいて、前記ＵＥから、分離メッセージを受信することと、
前記分離メッセージに少なくとも部分的に基づいて、ルーティングネットワークセッティングを更新することと、ここにおいて、前記ルーティングネットワークセッティングは、前記ＵＥに関連する通信が、前記ＵＥまたは前記周辺デバイスのいずれに送信されることになるかを識別する、
をさらに備える、請求項１に記載の方法。
【請求項５】
前記ネットワークエンティティにおいて、前記周辺デバイスからアタッチメッセージを受信することと、
前記アタッチメッセージに少なくとも部分的に基づいて、ルーティングネットワークセッティングを更新することと、
前記周辺デバイスが前記ネットワークエンティティにアタッチされるとき、パケットを、前記仮想識別子に基づいて、前記ＵＥを介してそれらをルーティングすることなく、前記ネットワークエンティティから前記周辺デバイスに送信することと、
をさらに備える、請求項１に記載の方法。
【請求項６】
前記ネットワークエンティティにおいて、前記ＵＥの関与なしに、前記周辺デバイスからコール開始要求を受信すること、
をさらに備える、請求項５に記載の方法。
【請求項７】
前記ＵＥの電話番号を前記周辺デバイスに割り振ること、
をさらに備える、請求項１に記載の方法。
【請求項８】
前記モバイルデバイスアイデンティフィケーションを前記周辺デバイスのそれぞれの識別子と相互に関連付けるルーティングテーブルを維持すること、
をさらに備える、請求項１に記載の方法。
【請求項９】
前記仮想識別子は、仮想国際モバイル加入者アイデンティティ（ＶＩＭＳＩ）である、請求項１に記載の方法。
【請求項１０】
ユーザ装置（ＵＥ）においてインプリメントされるワイヤレス通信のための方法であって、
前記ＵＥと周辺デバイスとの間で通信を確立することと、
前記ＵＥにおいて、前記周辺デバイスから、仮想加入者情報モジュール（ＶＳＩＭ）プロファイルを求める要求を受信することと、
ネットワークエンティティに対して前記周辺デバイスのための前記ＶＳＩＭプロファイルを要求するために、前記ネットワークエンティティとデータコールを開始することと、
前記要求に応答して、前記ネットワークエンティティから仮想識別子を受信することと、
を備える、方法。
【請求項１１】
前記ネットワークエンティティから前記仮想識別子を受信することに基づいて、仮想識別子周辺機器データベースを更新することと、
非セルラ短距離通信ネットワークを介して前記割り振られた仮想識別子を前記周辺デバイスに送信することと、
をさらに備える、請求項１０に記載の方法。
【請求項１２】
前記ＵＥから前記ネットワークエンティティに、前記ＵＥに関連する１つまたは複数のアクティブな周辺デバイスを識別する補足サービスメッセージを送信すること、
をさらに備える、請求項１０に記載の方法。
【請求項１３】
前記補足サービスメッセージは、アクティブな周辺デバイスのサブセットがしきい値を超えるとき、周辺デバイスの優先順位リストをさらに含み、前記優先順位リストは、前記ネットワークエンティティが複数の前記周辺デバイスにコンタクトするべき順序を識別する、請求項１２に記載の方法。
【請求項１４】
１つまたは複数の第１のトリガが満たされたと決定することと、ここにおいて、前記１つまたは複数の第１のトリガは、前記ＵＥと前記周辺機器との間の近接間隔がしきい値を超えることのインジケーションを含む、
前記決定に基づいて、前記ネットワークから分離する意向を示す分離メッセージを前記ネットワークエンティティに送信することと、
前記分離メッセージを送信することに応答して、電力節約モードに入ることと、
をさらに備える、請求項１０に記載の方法。
【請求項１５】
１つまたは複数の第２のトリガが満たされたと決定することと、ここにおいて、前記１つまたは複数の第２のトリガは、前記ＵＥと前記周辺機器との間の近接間隔が前記しきい値より狭いことのインジケーションを含む、
再アタッチメッセージを前記ネットワークエンティティに送信することと、ここにおいて、前記ＵＥは、再アタッチプロシージャの完了に基づいて、前記ネットワークエンティティとの通信を再開する、
をさらに備える、請求項１４に記載の方法。
【請求項１６】
前記ＵＥは、非セルラ短距離技術を介して前記周辺デバイスと通信することを再開し、前記周辺デバイスは、前記１つまたは複数の第２のトリガが満たされたとの決定に応答して、前記ネットワークエンティティから分離し、およびそれのセルラモデムをオフにする、請求項１５に記載の方法。
【請求項１７】
前記仮想識別子は、仮想国際モバイル加入者アイデンティティ（ＶＩＭＳＩ）である、請求項１０に記載の方法。
【請求項１８】
ネットワークエンティティにおいてインプリメントされるワイヤレス通信のための装置であって、
プロセッサと、
前記プロセッサに結合されたメモリと、
を備え、ここにおいて、前記メモリは、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信することと、
前記要求に部分的に基づいて、前記ＵＥのモバイルデバイスアイデンティフィケーションを決定することと、
前記ＵＥの前記モバイルデバイスアイデンティフィケーションに基づいて、前記周辺デバイスに仮想識別子を割り振ることと、
前記ネットワークエンティティから前記ＵＥに、前記ペアにされた周辺デバイスのための前記仮想識別子を送信することと、
のために前記プロセッサによって実行可能な命令を含む、
装置。
【請求項１９】
前記命令は、
前記ネットワークエンティティにおいて、前記ＵＥから補足サービスメッセージを受信することと、ここにおいて、前記補足サービスメッセージは、前記ＵＥとペアにされた複数の周辺デバイスからのアクティブな周辺デバイスの各々を識別する、
前記補足サービスメッセージに少なくとも部分的に基づいて、ネットワークルーティングセッティングを更新することと、
前記補足サービスメッセージを受信することに応答して、補足サービスアクノレッジメントを送信することと、
のためにさらに実行可能である、請求項１８に記載の装置。
【請求項２０】
前記補足サービスメッセージは、前記ＵＥとペアにされた周辺デバイスの優先順位リストをさらに含む、請求項１９に記載の装置。
【請求項２１】
前記命令は、
前記ネットワークエンティティにおいて、前記ＵＥから、分離メッセージを受信することと、
前記分離メッセージに少なくとも部分的に基づいて、ルーティングネットワークセッティングを更新することと、ここにおいて、前記ルーティングネットワークセッティングは、前記ＵＥに関連する通信が、前記ＵＥまたは前記周辺デバイスのいずれに送信されることになるかを識別する、
のためにさらに実行可能である、請求項１８に記載の装置。
【請求項２２】
前記命令は、
前記ネットワークエンティティにおいて、前記周辺デバイスからアタッチメッセージを受信することと、
前記アタッチメッセージに少なくとも部分的に基づいて、ルーティングネットワークセッティングを更新することと、
前記周辺デバイスが前記ネットワークエンティティにアタッチされるとき、パケットを、前記仮想識別子に基づいて、前記ＵＥを介してそれらをルーティングすることなく、前記ネットワークエンティティから前記周辺デバイスに送信することと、
のためにさらに実行可能である、請求項１８に記載の装置。
【請求項２３】
前記命令は、
前記ネットワークエンティティにおいて、前記ＵＥの関与なしに、前記周辺デバイスからコール開始要求を受信すること、
のためにさらに実行可能である、請求項２２に記載の装置。
【請求項２４】
前記命令は、
前記ＵＥの電話番号を前記周辺デバイスに割り振ること、
のためにさらに実行可能である、請求項１８に記載の装置。
【請求項２５】
前記命令は、
前記モバイルデバイスアイデンティフィケーションを前記周辺デバイスのそれぞれの識別子と相互に関連付けるルーティングテーブルを維持すること、
のためにさらに実行可能である、請求項１８に記載の装置。
【請求項２６】
前記仮想識別子は、仮想国際モバイル加入者アイデンティティ（ＶＩＭＳＩ）である、請求項１８に記載の装置。
【請求項２７】
ワイヤレス通信のためのユーザ装置（ＵＥ）であって、
プロセッサと、
前記プロセッサに結合されたメモリと、
を備え、ここにおいて、前記メモリは、
前記ＵＥと周辺デバイスとの間で通信を確立することと、
前記ＵＥにおいて、前記周辺デバイスから、仮想加入者情報モジュール（ＶＳＩＭ）プロファイルを求める要求を受信することと、
ネットワークエンティティに対して前記周辺デバイスのための前記ＶＳＩＭプロファイルを要求するために、前記ネットワークエンティティとデータコールを開始することと、
前記要求に応答して、前記ネットワークエンティティから仮想識別子を受信することと、
のために前記プロセッサによって実行可能な命令を含む、
ＵＥ。
【請求項２８】
前記命令は、
前記ネットワークエンティティから前記仮想識別子を受信することに基づいて、仮想識別子周辺機器データベースを更新することと、
非セルラ短距離通信ネットワークを介して前記割り振られた仮想識別子を前記周辺デバイスに送信することと、
のために前記プロセッサによってさらに実行可能である、請求項２７に記載のＵＥ。
【請求項２９】
前記命令は、
前記ＵＥから前記ネットワークエンティティに、前記ＵＥに関連する１つまたは複数のアクティブな周辺デバイスを識別する補足サービスメッセージを送信すること、
のために前記プロセッサによってさらに実行可能である、請求項２７に記載のＵＥ。
【請求項３０】
前記補足サービスメッセージは、アクティブな周辺デバイスのサブセットがしきい値を超えるとき、周辺デバイスの優先順位リストをさらに含み、前記優先順位リストは、前記ネットワークエンティティが複数の前記周辺デバイスにコンタクトするべき順序を識別する、請求項２９に記載のＵＥ。
【請求項３１】
前記命令は、
１つまたは複数の第１のトリガが満たされたと決定することと、ここにおいて、前記１つまたは複数の第１のトリガは、前記ＵＥと前記周辺機器との間の近接間隔がしきい値を超えることのインジケーションを含む、
前記決定に基づいて、前記ネットワークから分離する意向を示す分離メッセージを前記ネットワークエンティティに送信することと、
前記分離メッセージを送信することに応答して、電力節約モードに入ることと、
のために前記プロセッサによってさらに実行可能である、請求項２７に記載のＵＥ。
【請求項３２】
前記命令は、
１つまたは複数の第２のトリガが満たされたと決定することと、ここにおいて、前記１つまたは複数の第２のトリガは、前記ＵＥと前記周辺機器との間の近接間隔が前記しきい値より狭いことのインジケーションを含む、
再アタッチメッセージを前記ネットワークエンティティに送信することと、ここにおいて、前記ＵＥは、再アタッチプロシージャの完了に基づいて、前記ネットワークエンティティとの通信を再開する、
のために前記プロセッサによってさらに実行可能である、請求項２７に記載のＵＥ。
【請求項３３】
前記ＵＥは、非セルラ短距離技術を介して前記周辺デバイスと通信することを再開し、前記周辺デバイスは、前記１つまたは複数の第２のトリガが満たされたとの決定に応答して、前記ネットワークエンティティから分離し、およびそれのセルラモデムをオフにする、請求項２７に記載のＵＥ。
【請求項３４】
前記仮想識別子は、仮想国際モバイル加入者アイデンティティ（ＶＩＭＳＩ）である、請求項２７に記載のＵＥ。
【請求項３５】
ネットワークエンティティにおいてインプリメントされるワイヤレス通信のための装置であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信するための手段と、
前記要求に部分的に基づいて、前記ＵＥのモバイルデバイスアイデンティフィケーションを決定するための手段と、
前記ＵＥの前記モバイルデバイスアイデンティフィケーションに基づいて、前記周辺デバイスに仮想識別子を割り振るための手段と、
前記ネットワークエンティティから前記ＵＥに、前記ペアにされた周辺デバイスのための前記仮想識別子を送信するための手段と、
を備える、装置。
【請求項３６】
ユーザ装置（ＵＥ）においてインプリメントされるワイヤレス通信のための装置であって、
前記ＵＥと周辺デバイスとの間で通信を確立するための手段と、
前記ＵＥにおいて、前記周辺デバイスから、仮想加入者情報モジュール（ＶＳＩＭ）プロファイルを求める要求を受信するための手段と、
ネットワークエンティティに対して前記周辺デバイスのための前記ＶＳＩＭプロファイルを要求するために、前記ネットワークエンティティとデータコールを開始するための手段と、
前記要求に応答して、前記ネットワークエンティティから仮想識別子を受信するための手段と、
を備える、装置。
【請求項３７】
ネットワークエンティティにおいてインプリメントされるワイヤレス通信のためのコンピュータ読み取り可能な媒体であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信するためのコードと、
前記要求に部分的に基づいて、前記ＵＥのモバイルデバイスアイデンティフィケーションを決定するためのコードと、
前記ＵＥの前記モバイルデバイスアイデンティフィケーションに基づいて、前記周辺デバイスに仮想識別子を割り振るためのコードと、
前記ネットワークエンティティから前記ＵＥに、前記ペアにされた周辺デバイスのための前記仮想識別子を送信するためのコードと、
を備える、コンピュータ読み取り可能な媒体。
【請求項３８】
ユーザ装置（ＵＥ）においてインプリメントされるワイヤレス通信のためのコンピュータ読み取り可能な媒体であって、
前記ＵＥと周辺デバイスとの間で通信を確立するためのコードと、
前記ＵＥにおいて、前記周辺デバイスから、仮想加入者情報モジュール（ＶＳＩＭ）プロファイルを求める要求を受信するためのコードと、
ネットワークエンティティに対して前記周辺デバイスのための前記ＶＳＩＭプロファイルを要求するために、前記ネットワークエンティティとデータコールを開始するためのコードと、
前記要求に応答して、前記ネットワークエンティティから仮想識別子を受信するためのコードと、
を備える、コンピュータ読み取り可能な媒体。
【発明の詳細な説明】
【関連出願の相互参照】
【０００１】
[0001]  本特許出願は、「MULTI-DEVICE MANAGEMENT WITH SINGLE SUBSCRIPTION」と題されて２０１６年７月１日に出願された、米国非仮出願第１５／２００，６６２号に対する優先権を主張し、それは、本願の譲受人に譲渡され、本明細書によって参照によりその全体がここに明示的に組み込まれる。
【背景技術】
【０００２】
[0002]  ワイヤレス通信ネットワークは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
[0001]  例として、ワイヤレス多元接続通信システムは、いくつかの基地局を含み得、それらの各々は、別名ユーザ装置（ＵＥ）として知られる複数の通信デバイスのための通信を同時にサポートする。基地局は、ダウンリンクチャネル（例えば、基地局からＵＥへの送信のための）およびアップリンクチャネル（例えば、ＵＥから基地局への送信のための）上で、１つまたは複数のＵＥと通信し得る。
【０００４】
[0002]  近年、ダイナミックに能力を有するＵＥ（dynamically capable UEs）の出現は、ＵＥのポータビリティおよび機能性を拡張する周辺デバイス（例えば、スマートウォッチ、アクティビティトラッカ、スマートグラス等）の発展に拍車をかけた。主に「ウェアラブルデバイス」であるそのような周辺デバイスは一般に、Ｗｉ−ＦｉおよびＢｌｕｅｔｏｏｔｈ（登録商標）モジュール等の短距離通信チップを備える。したがって、周辺デバイスは、短距離内に位置しているＵＥに限って通信し得る。例えば、スマートウォッチを身につけたユーザは、スマートウォッチとＵＥとが互いに近接している間に限って、スマートウォッチの全能力（例えば、音声通話、テキストメッセージ、アクセスインターネット等）を利用し得る。しかしながら、短距離通信チップに基づいて構成された従来のシステムでは、一方のデバイス（例えば、ＵＥまたは周辺機器）が短距離通信チップのカバレッジエリアの外部にあるとき、ユーザがそのようなネットワークに依存した機能性を使用し続けることが可能でない。１つのそのような事例は、ユーザが、彼のモバイルデバイスを家に残して、彼のウェアラブルウォッチのみを携えて家を離れる場合であり得る）。
【０００５】
[0003]  上述の問題に対処するために提案された１つの解決策は、周辺デバイスがＵＥから独立してネットワークと通信することを可能にし得るワイヤレスワイドエリアネットワーク（ＷＷＡＮ）無線機と短距離通信チップ（例えば、Ｂｌｕｅｔｏｏｔｈモジュール）との両方を用いて周辺デバイスを構成することを含む。しかしながら、そのような構成は、周辺デバイスがネットワークによって認証され、かつ一意の電話番号を割り当てられ得るように、周辺デバイスが加入者情報モジュール（ＳＩＭ）チップを追加的に含むことを必要とする。そのような解決策は、ハードウェア考慮事項（hardware considerations）およびユーザの不都合により理想的ではない。例えば、まず第１に、追加されたハードウェアは、周辺デバイス自体のサイズおよびコストを増加させる。次に、ＵＥのための電話番号とは異なる周辺デバイスのための一意の電話番号を有すると、ユーザは、２つの別個のサブスクリプションを管理する必要があり得る。さらに、着信／発信（incoming/outgoing calls）の両方が、別個の電話番号に／から成される必要があるであろう。例えば、ユーザに連絡（reach）しようとしているパーティは、まずモバイルデバイスを呼び出し、次いで別個に周辺デバイス（例えば、ウェアラブルウォッチ）を呼び出す必要があるだろう。そのような解決策に関連する不都合とコストは、得られる可能性のあるいかなる利益をもはるかに上回るものである。
【発明の概要】
【０００６】
[0004]  本開示は、ＵＥ自体のモバイルデバイスアイデンティフィケーション（ＩＤ）に部分的に基づいて、ＵＥに関連する１つまたは複数の周辺デバイスに仮想国際モバイル加入者アイデンティティ（ＶＩＭＳＩ）を割り当てる技法をインプリメントすることによって、上で特定された問題を解決する。したがって、デュアル無線機（例えば、短距離通信チップおよびセルラ無線機）を用いて構成される周辺デバイスは、別個のＳＩＭチップを必要としない。周辺デバイスは、ＵＥのモバイルＩＤに基づいて、ＶＩＭＳＩを割り振られるので、周辺デバイスはまた、それらの親ＵＥと同じ電話番号を維持するという利点を達成する。したがって、ＵＥのユーザは、１つのサブスクリプションのみを必要とする。
【０００７】
[0005]  本開示の態様によれば、ネットワークエンティティにおいてインプリメントされるワイヤレス通信のための方法が開示される。方法は、ネットワークエンティティにおいて、ユーザ装置（ＵＥ）とペアにされた周辺デバイスのための仮想加入者情報モジュール（ＶＳＩＭ）プロファイルを割り振るための要求をＵＥから受信することと、要求に部分的に基づいて、ＵＥのモバイルデバイスアイデンティフィケーションを決定することと、を含み得る。追加的に、または代替的に、方法は、ＵＥのモバイルデバイスアイデンティフィケーションに基づいて、周辺デバイスに仮想識別子を割り振ることと、ネットワークエンティティからＵＥに、ペアにされた周辺デバイスのための仮想識別子を送信することと、を含み得る。
【０００８】
[0006]  本開示の別の態様では、ネットワークエンティティにおいてインプリメントされるワイヤレス通信のための装置が開示される。装置は、プロセッサと、プロセッサに結合されたメモリとを含み得る。いくつかの例では、メモリは、ネットワークエンティティにおいて、ＵＥとペアにされた周辺デバイスのためのＶＳＩＭプロファイルを割り振るための要求をＵＥから受信することと、要求に部分的に基づいて、ＵＥのモバイルデバイスアイデンティフィケーションを決定することと、のためにプロセッサによって実行可能な命令を含み得る。追加的に、または代替的に、命令は、ＵＥのモバイルデバイスアイデンティフィケーションに基づいて、周辺デバイスに仮想識別子を割り振ることと、ネットワークエンティティからＵＥに、ペアにされた周辺デバイスのための仮想識別子を送信することと、のためにプロセッサによってさらに実行可能であり得る。
【０００９】
[0007]  本開示の別の態様では、ネットワークエンティティにおいてインプリメントされるワイヤレス通信のための別の装置が開示される。装置は、ネットワークエンティティにおいて、ＵＥとペアにされた周辺デバイスのためのＶＳＩＭプロファイルを割り振るための要求をＵＥから受信するための手段と、要求に部分的に基づいて、ＵＥのモバイルデバイスアイデンティフィケーションを決定するための手段と、を含み得る。追加的に、または代替的に、装置はさらに、ＵＥのモバイルデバイスアイデンティフィケーションに基づいて、周辺デバイスに仮想識別子を割り振ることと、ネットワークエンティティからＵＥに、ペアにされた周辺デバイスのための仮想識別子を送信することと、のための手段を含み得る。
【００１０】
[0008]  本開示の別の態様では、ネットワークエンティティにおいてインプリメントされるワイヤレス通信のためのコンピュータ読み取り可能な媒体が開示される。コンピュータ読み取り可能な媒体は、ネットワークエンティティにおいて、ＵＥとペアにされた周辺デバイスのためのＶＳＩＭプロファイルを割り振るための要求をＵＥから受信するためのコードと、要求に部分的に基づいて、ＵＥのモバイルデバイスアイデンティフィケーションを決定するためのコードと、を含み得る。追加的に、または代替的に、コンピュータ読み取り可能な媒体はさらに、ＵＥのモバイルデバイスアイデンティフィケーションに基づいて、周辺デバイスに仮想識別子を割り振るためのコードと、ネットワークエンティティからＵＥに、ペアにされた周辺デバイスのための仮想識別子を送信するためのコードと、を含み得る。
【００１１】
[0009]  本開示の追加的な態様では、ＵＥにおいてインプリメントされるワイヤレス通信のための方法が開示される。方法は、ＵＥと周辺デバイスとの間で通信を確立することと、ＵＥにおいて、周辺デバイスからＶＳＩＭプロファイルを求める要求を受信することと、を含み得る。方法はさらに、ネットワークエンティティに対して周辺デバイスのためのＶＳＩＭプロファイルを要求するために、ネットワークエンティティとデータコールを開始することと、要求に応答して、ネットワークエンティティから仮想識別子を受信することと、を含み得る。
【００１２】
[0010]  本開示の別の態様では、インプリメントされるワイヤレス通信のためのＵＥが開示される。ＵＥは、プロセッサと、プロセッサに結合されたメモリとを含み得る。いくつかの例では、メモリは、ＵＥと周辺デバイスとの間で通信を確立することと、ＵＥにおいて、周辺デバイスから、ＶＳＩＭプロファイルを求める要求を受信することと、のためにプロセッサによって実行可能な命令を含み得る。命令は、ネットワークエンティティに対して、周辺デバイスのためのＶＳＩＭプロファイルを要求するために、ネットワークエンティティとデータコールを開始することと、要求に応答して、ネットワークエンティティから仮想識別子を受信することと、のためにプロセッサによってさらに実行可能であり得る。
【００１３】
[0011]  本開示の別の態様では、ＵＥにおいてインプリメントされるワイヤレス通信のための別の装置が開示される。装置は、ＵＥと周辺デバイスとの間で通信を確立するための手段と、ＵＥにおいて、周辺デバイスから、ＶＳＩＭプロファイルを求める要求を受信するための手段と、を含み得る。装置はさらに、ネットワークエンティティに対して、周辺デバイスのためのＶＳＩＭプロファイルを要求するために、ネットワークエンティティとデータコールを開始するための手段と、要求に応答して、ネットワークエンティティから仮想識別子を受信するための手段と、を含み得る。
【００１４】
[0012]  本開示の別の態様では、ＵＥにおいてインプリメントされるワイヤレス通信のためのコンピュータ読み取り可能な媒体が開示される。コンピュータ読み取り可能な媒体は、ＵＥと周辺デバイスとの間で通信を確立するためのコードと、ＵＥにおいて、周辺デバイスから、ＶＳＩＭプロファイルを求める要求を受信するためのコードと、を含む。コンピュータ読み取り可能な媒体はさらに、ネットワークエンティティに対して、周辺デバイスのためのＶＳＩＭプロファイルを要求するために、ネットワークエンティティとデータコールを開始するためのコードと、要求に応答して、ネットワークエンティティから仮想識別子を受信するためのｃｏｄと、を含み得る。
【００１５】
[0013]  上述の内容は、１つまたは複数の態様の基本的な理解を提供するために、そのような態様の簡略化された概要を提示する。この概要は、すべての考慮された態様の広範な概観ではなく、そして、すべての態様の主要または重要な要素を特定するようにも、任意のまたはすべての態様の範囲を詳細に叙述するようにも、意図されていない。その唯一の目的は、後に提示されるより詳細な説明への前置きとして、簡略化された形式で、１つまたは複数の態様のうちのいくつかの概念を提示することである。
【００１６】
[0014]  前述の目的および関連する目的を達成するために、１つまたは複数の態様が、以下に十分に説明され、かつ特許請求の範囲において具体的に示される特徴を備える。以下の説明および添付の図面は、１つまたは複数の態様のある特定の例示的な特徴を詳細に記載する。しかしながら、これらの特徴は、様々な態様の原理が用いられ得る様々な方法のうちのほんのいくつかを示しているのであって、本説明は、すべてのそのような態様およびそれらの同等物を含むように意図されている。
【図面の簡単な説明】
【００１７】
[0015]  開示される態様は、開示される態様を限定するためではなく例示するために提供される添付の図面と併せて以下で説明されることになり、ここで、同様の表記（designations）は同様の要素を意味する。
【図１】[0016]  図１は、本開示の例示的な実施形態によるワイヤレス通信ネットワークの概略図である。
【図２Ａ】[0017]  図２Ａは、本開示の態様による、ＵＥに関連する周辺デバイスのための仮想識別子を割り振るための技法を例示するワイヤレス通信システムの別の図を例示する。
【図２Ｂ】[0018]  図２Ｂは、ＵＥの関与から独立したセルラ通信のために１つまたは複数の周辺デバイスをアクティベートすることの概略図を例示する。
【図３】[0019]  図３は、本開示の例示的な実施形態による、仮想識別子を要求することおよび割り振ることのメッセージフローダイアグラムである。
【図４】[0020]  図４は、本開示の例示的な実施形態による、１つまたは複数の周辺デバイスが短距離通信チップの有効範囲（effective range）内にあるとき、ネットワーク、ＵＥ、１つまたは複数の周辺デバイス間の通信を管理することの、メッセージフローダイアグラムである。
【図５】[0021]  図５は、本開示の態様による、ＵＥから周辺デバイスへのトラフィック転送（transfer）を管理する例示的な方法のメッセージフローダイアグラムである。
【図６】[0022]  図６は、本開示の態様による、ＵＥに関連する周辺デバイスに仮想識別子を割り振る際にネットワークエンティティによってインプリメントされる例示的な方法のフローチャートである。
【図７】[0023]  図７は、本開示の態様による、周辺デバイスの代理としてネットワークエンティティに対して仮想識別子を要求する際にＵＥによってインプリメントされる例示的な方法のフローチャートである。
【図８】[0024]  図８は、本開示の様々な態様による、基地局等のネットワークエンティティと通信するために構成されたネットワークエンティティの様々なコンポーネントのインプリメンテーションの一態様の概略図である。
【図９】[0025]  図９は、本開示の様々な態様による、基地局等のネットワークエンティティと通信するために構成されたＵＥの様々なコンポーネントのインプリメンテーションの一態様の概略図である。
【図１０】[0026]  図１０は、本開示の様々な態様による、基地局等のネットワークエンティティと通信するために構成された周辺デバイスの様々なコンポーネントのインプリメンテーションの一態様の概略図である。
【詳細な説明】
【００１８】
[0027]  様々な態様がこれより図面を参照して説明されることになる。以下の説明には、説明を目的として、１つまたは複数の態様の完全な理解を提供するために、多数の特定の詳細が記載されている。しかしながら、そのような（１つまたは複数の）態様が、これらの特定の詳細なしに実施され得ることは、明らかであり得る。さらに、「コンポーネント」という用語は、ここで使用される場合は、システムを構成するパーツのうちの１つであり得、ハードウェア、ファームウェア、および／またはコンピュータ読み取り可能な媒体上に記憶されたソフトウェアであり得、および、他のコンポーネントに分割され得る。
【００１９】
[0028]  上述したように、周辺デバイス（例えば、スマートウォッチ、フィットネストラッカ、スマートカメラ等）に、（例えば、ＵＥを介した）短距離通信と、独立したワイヤレスワイドエリアネットワーク（ＷＷＡＮ）通信との両方を介してネットワーク接続性を与える（allow）従来のシステムは、追加されたハードウェア要件（例えば、加入者情報モジュール（ＳＩＭ）チップ）を有するという欠点に悩まされ、かつユーザが複数の電話番号、つまりＵＥのためのものと各周辺デバイスのためのもの、を管理することを必要とする。特に、第３世代パートナーシッププロジェクト（３ＧＰＰ（登録商標））の規格に従って、別個のＳＩＭチップを有する各デバイス（例えば、ＵＥおよび周辺デバイス）は、国際モバイル加入者アイデンティティ（ＩＭＳＩ）を提供されることになり、それは、１対１の関係でマッピングされ得るユーザのアイデンティフィケーションおよび電話番号（例えば、モバイル局国際ＩＳＤＮ番号（ＭＳＩＳＤＮ））を示す。言い換えれば、ユーザによって持ち運ばれる各デバイス（例えば、ＵＥと、複数の周辺デバイスの各々）は、それら自身の電話番号を有するであろう。そのようなインプリメンテーションは、便利でもなければ費用効率が高くもない。
【００２０】
[0029]  周辺デバイスが別個のＳＩＭチップを維持することを要求する代わりに、本開示の態様は、ＵＥ自体のモバイルデバイスアイデンティフィケーション（ＩＤ）に部分的に基づいて、ＵＥに関連する周辺デバイスに、仮想国際モバイル加入者アイデンティティ（ＶＩＭＳＩ）等の仮想識別子を割り当てることによって、上で特定された問題を解決する。したがって、デュアル無線機（例えば、短距離通信チップおよびセルラ無線機）を用いて構成される周辺デバイスは、別個のＳＩＭチップを必要としない。周辺デバイスの各々は、ＵＥのモバイルＩＤに基づいてＶＩＭＳＩを割り振られるので、周辺デバイスはまた、ＵＥと同じＭＳＩＳＤＮ（例えば、電話番号）を維持するという利点を達成する。
【００２１】
[0030]  したがって、ここに説明される技法に基づいて、周辺デバイスは、１つまたは複数の第１のおよび第２のトリガに基づいて、短距離通信とセルラ通信との間で動的に切り替え得る。例えば、ＵＥおよび周辺デバイスが事前決定された範囲内にあるとき、ユーザが短距離通信チップセット（例えば、ＢｌｕｅｔｏｏｔｈまたはＷｉ−Ｆｉ）を使用して周辺デバイスとＵＥとの間でインタフェースし得るように、周辺デバイスのセルラ無線機はディアクティベートされ得る。しかしながら、ＵＥおよび周辺デバイスが事前決定された範囲の外部にあるとき（例えば、ユーザが、モバイルデバイスを家に残したまま彼の周辺機器を携えて家屋を離れるとき）は、本開示の態様は、（低減されたシグナリングオーバヘッドおよび電力消費を可能にするために）ＵＥをネットワークから分離（detach）し、および、ＵＥの関与なしにネットワークとセルラ通信を確立するために、割り当てられたＶＩＭＳＩプロファイルを使用する周辺デバイスの接続性をアクティベートするための技法を提供する。したがって、着信／発信パケット（incoming/outgoing packets）（音声およびデータ）の両方は、周辺デバイスに、および周辺デバイスから、ＵＥの関与なしに直接的にルーティングされ得る。したがって、いくつかの例では、１つまたは複数の第１のトリガは、ＵＥと周辺機器との間の近接間隔がしきい値（短距離通信チップセットの有効範囲を意味（signify）し得る事前決定された間隔）を超えることのインジケーションを含み得る。追加的に、または代替的に、１つまたは複数の第２のトリガは、ＵＥと周辺機器との間の近接間隔がしきい値より狭いことのインジケーションを含み得る。
【００２２】
[0031]  ユーザは、いくつかの状況では、彼らのモバイルデバイスを持ち運ぶことを好まない可能性があるので（例えば、ユーザがランニングに行こうとしている場合）、そのようなシステムは、実用的な利点を提供する。そのような状況では、本開示の態様は、ユーザがＵＥを残して家を離れ、ＵＥから独立して全ネットワーク機能性のオファーを提供する（provide offer）であろう周辺デバイスのみを持って行くことを可能にするであろう。加えて、上述したように、本開示の特徴は、周辺機器が別個のＳＩＭチップを用いて構成されることを必要としないので、ユーザは、複数の電話番号を管理することと周辺機器自体の追加されたコストおよびサイズによる不便さを感じることがない。
【００２３】
[0032]  ここに説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信ネットワークのために使用され得ることに留意されたい。「システム」および「ネットワーク」という用語は、しばしば交換可能に使用される。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは、通常ＣＤＭＡ２０００  １Ｘ、１Ｘ等と称される。ＩＳ−８５６（ＴＩＡ−８５６）は、通常ＣＤＭＡ２０００  １ｘＥＶ−ＤＯ、高レートパケットデータ（ＨＲＰＤ）等と称される。ＵＴＲＡは、ワイドバンドＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）等のような無線技術をインプリメントし得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明された技法は、上述のシステムおよび無線技術ならびに他のシステムおよび無線技術のために使用され得、それは共有無線周波数スペクトルバンド上でのセルラ（例えば、ＬＴＥ）通信を含む。それらの技法は、ＬＴＥ／ＬＴＥ−Ａアプリケーションを超えて（例えば、５Ｇネットワークまたは他の次世代通信システムに）適用可能であるのだが、しかしながら、以下の説明は、例示のためにＬＴＥ／ＬＴＥ−Ａシステムを説明しており、以下の説明の大部分で、ＬＴＥ用語が使用される。
【００２４】
[0033]  以下の説明は、例を提供するものであり、特許請求の範囲に記載される範囲、適用可能性、または例を限定するものではない。本開示の範囲から逸脱することなく、説明される要素の配置および機能に変更が成され得る。様々な例は、必要に応じて様々なプロシージャまたはコンポーネントを省略、代用、または追加し得る。例えば、説明される方法は、説明されるものとは異なる順序で実施され得、かつ様々なステップが追加、省略、または組み合わせられ得る。また、いくつかの例に関して説明される複数の特徴は、他の例では組み合わせられ得る。
【００２５】
[0034]  図１を参照すると、本開示の様々な態様に従って、例示的なワイヤレス通信ネットワーク１００は、ここに説明される１つまたは複数の技法を実施するように構成されるダイバーシティアンテナ管理コンポーネント１４０を有する少なくとも１つのＵＥ１１０を含む。ワイヤレス通信ネットワーク１００は、１つまたは複数の基地局１０５、１つまたは複数のＵＥ１１０、およびコアネットワーク１１５を含み得る。コアネットワーク１１５は、ユーザ認証、アクセス許可、トラッキング、インターネットプロトコル（ＩＰ）接続性、および他のアクセス、ルーティング、またはモビリティ機能を提供し得る。基地局１０５は、バックホールリンク１２０（例えば、Ｓ１等）を通してコアネットワーク１１５とインタフェースし得る。本開示の態様によれば、コアネットワーク１１５、基地局１０５、またはそれらの組合せ、のいずれかであり得る「ネットワークエンティティ」は、ＵＥ１１０の要求を受けて、ＵＥ１１０に関連する１つまたは複数の周辺デバイスに仮想識別子を割り振ることを有して構成され得る。したがって、本開示の目的のために、「ネットワークエンティティ」という用語は、（例えば、基地局１０５およびコアネットワーク１１５等の）ＵＥが通信する（with which the UE corresponds with）ネットワークの１つまたは複数の態様を指し得る。１つまたは複数の例では、仮想識別子は、仮想国際モバイル加入者アイデンティティ（ＶＩＭＳＩ）であり得る。「ＶＩＭＳＩ」という用語は、仮想識別子または仮想ＳＩＭ（ＶＳＩＭ）プロファイルと置換え可能に使用され得る。いくつかの例では、ネットワークエンティティ（例えば、コアネットワーク１１５または基地局１０５）は、ＵＥ１１０に関連する複数の周辺デバイスの各々に、ＵＥのモバイルデバイスアイデンティフィケーション（例えば、ＵＥ１１０の国際モバイル加入者アイデンティティ（ＩＭＳＩ））に部分的に基づく一意の仮想識別子を割り振り得る。ネットワークはまた、親ノード（例えば、ＵＥ１１０）および子ノード（例えば、周辺デバイス−図２Ａおよび図２Ｂ参照）のＩＰアドレス／ＶＩＭＳＩのルーティングテーブルを維持し得る。
【００２６】
[0035]  基地局１０５は、ＵＥ１１０と通信するためのスケジューリングおよび無線構成を実施し得るか、または基地局コントローラ（示されていない）の制御下で動作し得る。様々な例において、基地局１０５は、ワイヤードまたはワイヤレス通信リンクであり得るバックホールリンク１２５（例えば、Ｘ１等）上で互いに直接的にまたは間接的に（例えば、コアネットワーク１１５を通して）通信し得る。
【００２７】
[0036]  基地局１０５は、１つまたは複数の基地局アンテナを介してＵＥ１１０とワイヤレスに通信し得る。基地局１０５の各々は、それぞれの地理的なカバレッジエリア１３０に通信カバレッジを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、リレイまたは何らかの他の好適な用語で呼ばれ得る。基地局１０５の地理的なカバレッジエリア１３０は、カバレッジエリアの一部のみを構成するセルまたはセクタ（示されていない）に分割され得る。ワイヤレス通信ネットワーク１００は、異なるタイプの基地局１０５（例えば、以下に説明されるマクロ基地局またはスモールセル基地局）を含み得る。さらに、複数の基地局１０５は、複数の通信技術のうちの異なるもの（例えば、５Ｇ、４Ｇ／ＬＴＥ、３Ｇ、Ｗｉ−Ｆｉ、Ｂｌｕｅｔｏｏｔｈ等）に従って動作し得、よって、異なる通信技術ごとに、オーバーラップする地理的なカバレッジエリア１３０が存在し得る。
【００２８】
[0037]  いくつかの例では、ワイヤレス通信ネットワーク１００は、ロングタームエボリューション（ＬＴＥ）またはＬＴＥアドバンスト（ＬＴＥ−Ａ）技術ネットワークであり得るか、それらを含み得る。ワイヤレス通信ネットワーク１００はまた、５Ｇワイヤレス通信ネットワーク等の次世代技術ネットワークであり得る。ＬＴＥ／ＬＴＥ−Ａネットワークでは、発展型ノードＢ（ｅＮＢ）という用語は一般に、基地局１０５を説明するために使用され得、一方でＵＥという用語は一般に、ＵＥ１１０を説明するために使用され得る。ワイヤレス通信ネットワーク１００は、異なるタイプのｅＮＢが様々な地理的領域にカバレッジを提供する異種のＬＴＥ／ＬＴＥ−Ａネットワークであり得る。例えば、各ｅＮＢまたは基地局１０５は、マクロセル、スモールセル、または他のタイプのセルに通信カバレッジを提供し得る。「セル」という用語は、文脈に応じて、基地局、基地局に関連するキャリアまたはコンポーネントキャリア、あるいは基地局またはキャリアのカバレッジエリア（例えば、セクタ等）を説明するために使用されることができる３ＧＰＰ用語である。
【００２９】
[0038]  マクロセルは一般に、比較的広い地理的エリア（例えば、半径数キロメートル）をカバーし得、ネットワークプロバイダにサービス加入しているＵＥ１１０による無制限のアクセスを可能にし得る。
【００３０】
[0039]  スモールセルは、マクロセルと同じまたは異なる周波数バンド（例えば、ライセンス、アンライセンス等）で動作し得る、マクロセルと比較して相対的により低い送信電力の基地局を含み得る。スモールセルは、様々な例に従って、ピコセル、フェムトセルおよびマイクロセルを含み得る。例えば、ピコセルは、狭い地理的エリアをカバーし得、ネットワークプロバイダにサービス加入しているＵＥ１１０による無制限のアクセスを可能にし得る。フェムトセルはまた、狭い地理的エリア（例えば、住宅）をカバーし得、およびフェムトセルと関連のあるＵＥ１１０による無制限のアクセスおよび／または制限付きのアクセスを提供し得る（例えば、制限付きのアクセスのケースでは、住宅内のユーザに関するＵＥ１１０を含み得る、基地局１０５のクローズド加入者グループ（ＣＳＧ）内のＵＥ１１０等）。マクロセルのためのｅＮＢは、マクロｅＮＢと呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つのまたは複数（例えば、２つ、３つ、４つ等）のセル（例えば、コンポーネントキャリア）をサポートし得る。
【００３１】
[0040]  様々な開示された例のうちのいくつかに順応し得る通信ネットワークは、レイヤードプロトコルスタックに従って動作するパケットベースのネットワークであり得、ユーザプレーンにおけるデータは、ＩＰに基づき得る。無線リンク制御（ＲＬＣ）レイヤは、論理チャネル上で通信するために、パケットセグメンテーションおよびリアセンブリを実施し得る。ＭＡＣレイヤは、優先処理（priority handling）、およびトランスポートチャネルへの論理チャネルの多重化を実施し得る。ＭＡＣレイヤはまた、リンク効率を改善するためのＭＡＣレイヤにおける再送信を提供するために、ＨＡＲＱを使用し得る。制御プレーンでは、無線リソース制御（ＲＲＣ）プロトコルレイヤは、ＵＥ１１０と基地局１０５との間のＲＲＣ接続の確立、構成および管理を提供し得る。ＲＲＣプロトコルレイヤはまた、ユーザプレーンのデータのための無線ベアラをサポートするコアネットワーク１１５のために使用され得る。物理（ＰＨＹ）レイヤにおいて、トランスポートチャネルは、物理チャネルにマッピングされ得る。
【００３２】
[0041]  ＵＥ１１０は、ワイヤレス通信ネットワーク１００全体に分散され得、各ＵＥ１１０は、固定式またはモバイルであり得る。ＵＥ１１０はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得るかまたはそれらを含み得る。ＵＥ１１０は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、エンタテイメントデバイス、乗物コンポーネント、またはワイヤレス通信ネットワーク１００中で通信することが可能であるいかなるデバイスでもあり得る。さらに、ＵＥ１１０は、いくつかの態様においてワイヤレス通信ネットワーク１００または他のＵＥと頻繁には通信しない可能性のある、例えば、低電力、低データレート（例えば、ワイヤレス電話と比較して）のタイプのデバイス等の、モノのインターネット（ＩｏＴ：Internet of Things）および／またはマシンツーマシン（Ｍ２Ｍ）タイプのデバイスであり得る。ＵＥ１１０は、マクロｅＮＢ、スモールセルｅＮＢ、リレイ基地局等を含む様々なタイプの基地局１０５およびネットワーク装置と通信することが可能であり得る。
【００３３】
[0042]  追加的に、または代替的に、ＵＥ１１０はまた、短距離通信チップセット（例えば、ＵＥ１１０と周辺機器との両方のＢｌｕｅｔｏｏｔｈまたはＷｉ−Ｆｉ能力）を介して１つまたは複数の周辺デバイス（例えば、スマートウォッチ、コネクテッドカー、フィットネストラッカ、スマートカメラ、音楽プレーヤ、スマートヘッドホン、スマートアイウェア等）とペアにされるように構成され得る。本開示の目的のために、周辺デバイスは、短距離通信チップセットを使用してＵＥと通信することができるいかなるデバイスも含み得ることが考慮されていることは、理解されるべきである。したがって、ユーザは、１つまたは複数の周辺デバイスを介して、ＵＥ１１０の特徴とインタフェースし得る。例えば、ユーザは、ＵＥ１１０自体の関与なしに、周辺デバイス（例えば、スマートウォッチ）を使用して、電話を受けるおよび電話をかける、またはテキストメッセージを見る／送ることが可能であり得る。
【００３４】
[0043]  ＵＥ１１０は、１つまたは複数の基地局１０５と１つまたは複数のワイヤレス通信リンク１３５を確立するように構成され得る。ワイヤレス通信ネットワーク１００中に示されるワイヤレス通信リンク１３５は、ＵＥ１１０から基地局１０５にＵＬ送信を、または基地局１０５からＵＥ１１０にダウンリンク（ＤＬ）送信を、搬送し得る。ダウンリンク送信はフォワードリンク送信とも呼ばれ得、一方でアップリンク送信はリバースリンク送信とも呼ばれ得る。各ワイヤレス通信リンク１３５は、１つまたは複数のキャリアを含み得、ここで、各キャリアは、上述した様々な無線技術に従って変調されたマルチプルなサブキャリア（例えば、異なる周波数の波形信号）から構成される信号であり得る。各変調信号は、異なるサブキャリア上で送られ得、制御情報（例えば、基準信号、制御チャネル等）、オーバヘッド情報、ユーザデータ等を搬送し得る。一態様では、通信リンク１３５は、（例えば、ペアにされたスペクトルリソースを使用した）周波数分割複信（ＦＤＤ）、または（例えば、ペアにされていないスペクトルリソースを使用した）時分割複信（ＴＤＤ）動作を使用して、双方向通信を送信し得る。ＦＤＤのためのフレーム構造（例えば、フレーム構造タイプ１）およびＴＤＤのためのフレーム構造（例えば、フレーム構造タイプ２）が定義され得る。また、いくつかの態様では、通信リンク１３５は、１つまたは複数のブロードキャストチャネルを表し得る。
【００３５】
[0044]  ワイヤレス通信ネットワーク１００のいくつかの態様では、基地局１０５またはＵＥ１１０は、基地局１０５とＵＥ１１０との間の通信品質および信頼性を改善するためにアンテナダイバーシティスキームを用いるためのマルチプルなアンテナを含み得る。追加的に、または代替的に、基地局１０５またはＵＥ１１０は、同じまたは異なるコード化されたデータを搬送するマルチプルな空間レイヤを送信するためにマルチパス環境を活用し得る、多入力多出力（ＭＩＭＯ）技法を用い得る。
【００３６】
[0045]  ワイヤレス通信ネットワーク１００は、複数のセルまたはキャリア上での動作、つまりキャリアアグリゲーション（ＣＡ）またはマルチキャリア動作と称され得る特徴を、サポートし得る。キャリアはまた、コンポーネントキャリア（ＣＣ）、レイヤ、チャネル等とも称され得る。「キャリア」、「コンポーネントキャリア」、「セル」および「チャネル」という用語は、ここで置換え可能に使用され得る。ＵＥ１１０は、キャリアアグリゲーションのために複数のダウンリンクＣＣおよび１つまたは複数のアップリンクＣＣで構成され得る。キャリアアグリゲーションは、ＦＤＤコンポーネントキャリアとＴＤＤコンポーネントキャリアとの両方で使用され得る。
【００３７】
[0046]  図２Ａは、本開示の態様による、ＵＥ１１０に関連する周辺デバイスのための仮想識別子を割り振るための技法を例示するワイヤレス通信システム２００の別の図を例示する。ワイヤレス通信システム２００は、図１を参照して説明された基地局１０５およびＵＥ１１０と類似し得る基地局１０５およびＵＥ１１０を含み得る。ワイヤレス通信システム２００はさらに、周辺デバイス２０５を例示する。１つの周辺デバイス２０５のみが例示されているが、いくつの周辺デバイス２０５でも、コンカレントにＵＥ１１０とペアにされ得ることが考慮されている。
【００３８】
[0047]  いくつかの例では、周辺デバイス２０５は、（例えば、ＢｌｕｅｔｏｏｔｈまたはＷｉ−Ｆｉ等の）非セルラネットワーク上で通信を確立するための短距離通信チップセットおよびセルラ無線機（「セルラモデム」）を用いて構成され得る。いくつかの構成では、ＵＥ１１０および周辺デバイス２０５は、親子（または「マスタースレーブ」）構成で動作し得る。したがって、周辺デバイスは、一時的なまたは時間制御された（time controlled）アクセス権または優先順位を提供され得る。いくつかの例では、優先順位ベースの制御は、複数の周辺デバイス２０５がアクティブである状況で使用され得る。
【００３９】
[0048]  本開示の様々な態様に従って、および上に記載された利点を達成するために、１つまたは複数の周辺デバイスは、ネットワークエンティティ（例えば、基地局１０５）によって、ＵＥ１１０のモバイルデバイスアイデンティフィケーション（ＩＭＳＩ）に基づいた仮想ＳＩＭプロファイルまたはＶＩＭＳＩを割り振られ得る。したがって、１つまたは複数の周辺デバイス２０５は各々、それらのそれぞれの一意の仮想ＩＭＳＩによって識別され得る。
【００４０】
[0049]  上述したように、コアネットワーク１１５は、ユーザ認証、アクセス許可、トラッキング、インターネットプロトコル（ＩＰ）接続性、および他のアクセス、ルーティング、またはモビリティ機能を提供し得る。さらに、基地局１０５は、バックホールリンク１２０（例えば、Ｓ１等）を通してコアネットワーク１１５とインタフェースし得る。いくつかの例では、ＵＥ１１０は、ネットワークエンティティにアタッチ要求を送信することによって、ネットワークを認証し得るおよびネットワークにアタッチし得る。ワイヤレス通信システム２００では、ネットワークエンティティは、アタッチメントプロシージャに続いて、ＵＥ１１０に、一意のＭＳＩＳＤＮ（例えば、電話番号）を割り当て得る。いくつかの例では、ＵＥ１１０はまた、ユーザが周辺デバイス２０５のユーザインタフェースを介してＵＥ１１０を制御し得るまたはＵＥ１１０とインタフェースし得るように、周辺デバイス２０５とペアにされ得る２２５。ＶＩＭＳＩを要求するおよび割り振るための技法がこれより説明されることになる。
【００４１】
[0050]  ひとたび周辺デバイス２０５がＵＥ１１０とペアにされる２２５と、ＵＥ１１０は、ＷＷＡＮまたはセルラサービスが利用可能であり得ると示された周辺デバイス２０５に送信し得る。それに応じて、周辺デバイス２０５は、ＵＥ１１０に、データコールの間に、（例えば、ＶＳＩＭ  ＡＰＮ等の）ネットワークエンティティに転送され（forwarded）得るＶＳＩＭプロファイルを求める要求を、送信し得る。いくつかの例では、ＶＳＩＭサーバは、ＵＥ１１０のモバイルデバイスＩＤに基づいて、一意の仮想識別子（ＶＳＩＭプロファイルまたはＶＩＭＳＩ）を割り振り得る。したがって、いくつかの例では、ネットワークエンティティ１０５は、モバイルデバイスアイデンティフィケーションを（１つまたは複数の）周辺デバイス２０５の（１つまたは複数の）それぞれの仮想識別子に相互に関連付けるルーティングテーブルを維持し得る。
【００４２】
[0051]  いくつかの態様では、ネットワークエンティティによるＶＩＭＳＩの割振りに続いて、ＶＩＭＳＩ情報は、ストレージのためにＶＳＩＭプロファイルを周辺デバイス２０５にさらに転送し得るＵＥ１１０に送信され得る。いくつかの例では、ＵＥ１１０と周辺デバイス１１０との両方は、ネットワークエンティティ１０５から仮想識別子を受信することに基づいて、仮想識別子周辺機器データベースを維持し得る。１つまたは複数の周辺デバイス２０５は、各々仮想識別子を割り当てられ得るが、ＵＥ１１０および１つまたは複数の周辺デバイス２０５は、トリガの検出まで、非セルラモデム（例えば、Ｂｌｕｅｔｏｏｔｈ）を介して相互作用し続け得る。例えば、１つまたは複数のトリガは、ＵＥ１１０と周辺機器２０５との間の間隔が事前決定されたしきい値を超えるとの決定を含み得る。他の例では、１つまたは複数のトリガは、ＵＥ１１０のバッテリレベルが事前決定されたしきい値を下回って下がるとき、であり得る。したがって、電力を節約するために、ＵＥ１１０は、動作を１つまたは複数の周辺機器に切り替えることを動的に決定し得る。他の例では、しきい値は、ＵＥ１１０がネットワークエンティティ１０５にアクティブな周辺デバイスを通知するとき、識別され得る。いくつかの例では、ＵＥ１１０はまた、ネットワークエンティティ１０５に、（１つまたは複数の）周辺デバイス２０５の優先順位リストを提供し得る。優先順位リストは、複数の周辺デバイス２０５がアクティブであるときにネットワークエンティティがそれら周辺デバイス２０５にコンタクトするべき順序を識別し得る。いくつかの例では、優先順位リストは、周辺デバイスのユーザ選好に基づいて設定され得る。他の例では、優先順位リストは、最も一般に使用される周辺デバイスのアイデンティフィケーションに基づき得る。
【００４３】
[0052]  図２Ｂは、ＵＥ１１０の関与から独立したセルラ通信のために、１つまたは複数の周辺デバイス２０５をアクティベートすることの概略図２５０を例示する。上述したように、ひとたび１つまたは複数の周辺デバイス２０５がそれらのそれぞれのＶＳＩＭプロファイルまたは仮想識別子を割り当てられると、ＵＥ１１０および周辺デバイス２０５は、例えば、ＢｌｕｅｔｏｏｔｈまたはＷｉ−Ｆｉ通信リンク２２５を介して通信し続け得る。しかしながら、１つまたは複数のトリガに基づいて、ＵＥ１１０は、ネットワーク通信（例えば、音声およびデータ通信）がＵＥ１１０の関与なしに周辺デバイス２０５とＵＥ１０５との間で直接的に確立され得るように、周辺デバイス２０５をアクティベートすることを決定し得る。そのような状況は、例えば、ユーザが（１つまたは複数の）周辺デバイス２０５のみを持ち運びながらＵＥ１１０を残して家を離れることを選ぶときに生じ得る。そのような状況では、ＵＥ１１０は、ＵＥ１１０からネットワークエンティティ１０５に、ＵＥ１１０に関連する１つまたは複数のアクティブな周辺デバイス２０５を識別する補足サービスメッセージを送信し得る。いくつかの例では、補足サービスメッセージは、周辺デバイス２０５がいつアクティベートまたはディアクティベートされる必要があるかを識別し得る。追加的に、または代替的に、補足サービスメッセージは、優先順位リストに示されたユーザ選好の順序でネットワークエンティティ１０５がコンタクトすることをＵＥ１１０が好む周辺デバイス２０５の優先順位を識別する（または変更する）ために、利用され得る。
【００４４】
[0053]  したがって、いくつかの例では、ＵＥ１１０は、１つまたは複数のトリガが満たされたことを（例えば、ＵＥ１１０および周辺機器が互いに事前決定された近さにもはや存在しないことを）決定し得る。この決定に基づいて、ＵＥ１１０は、ネットワークから分離する意向を示す分離メッセージ２３０を、ネットワークエンティティ１０５に送信し得る。いくつかの例では、ＵＥ１１０はさらに、シグナリングオーバヘッドおよび電力消費を減少させるために、分離メッセージを送信することに応答して、電力節約モードに入り（例えば、スリープモードに入り）得る。
【００４５】
[0054]  続いて、いくつかの例では、周辺デバイス２０５は、アタッチメッセージをネットワークエンティティ１０５に送信し得る。ネットワークエンティティ１０５は、アタッチメッセージ２３５を受信すると、それのルーティングネットワークセッティングを更新し得る。いくつかの例では、ルーティングネットワークセッティングは、ＵＥに関連する通信がＵＥ１１０または周辺デバイス２０５のいずれに送信されることになるかを識別し得る。１つまたは複数の例では、ネットワークエンティティ１０５は、ＵＥのための後続のパケットが代わりに周辺デバイスに直接的にリダイレクトされるべきであることを示すために、ルーティングネットワークセッティングを更新し得る。したがって、いくつかの態様では、ネットワークエンティティ１０５は、周辺デバイスがネットワークエンティティにアタッチされるとき、ＵＥ１１０のＩＭＳＩに送信するためにスケジュールされたパケットを、仮想識別子に基づいて、ＵＥ１１０を介してそれらをルーティングすることなく、ネットワークエンティティ１０５から周辺デバイス２０５に送信し始め得る。
【００４６】
[0055]  図３は、本開示の例示的な実施形態による、仮想識別子を要求するおよび割り振る方法３００のフローチャートである。フローチャート３００は、図１〜図２を参照して説明されたネットワークエンティティ１０５（例えば、コアネットワーク１１５または基地局１０５）、ＵＥ１１０、および周辺デバイス２０５と類似し得るネットワークエンティティ１０５、ＵＥ１１０、および１つまたは複数の周辺デバイス２０５を含む。
【００４７】
[0056]  方法３００は、ＵＥ１１０が、３０５において、ネットワークエンティティ１０５にアタッチ要求を送信することを含み得る。ネットワークエンティティ１０５はＵＥ１１０からのアタッチ要求に関連する認証および登録プロシージャを実施し得、３１０において、アタッチ承認／サービス獲得メッセージ（an attach accepted/service acquired message）をＵＥ１１０に送信し得る。ＵＥ１１０とネットワークエンティティ１０５との間の登録プロシージャが完了すると、ＵＥ１１０および周辺デバイス２０５−ａは、３１５におけるペア要求およびペア応答３２０を介してペアにされ得る。フローチャートは周辺デバイス２０５−ａがペア要求を開始することを例示するが、いずれかのデバイス（例えば、ＵＥ１１０または周辺デバイス２０５−ａ）がペアリングを開始し得ることが考慮されている。ひとたび３２５において、ＵＥ１１０と周辺デバイス２０５−ａとの間のペアリングが完了すると、ＵＥ１１０は、３３０において、周辺デバイス２０５−ａにＷＡＮ利用可能性を通知し得る。
【００４８】
[0057]  いくつかの例では、ＷＡＮ利用可能性の通知は、周辺デバイス２０５−ａが３３５においてＶＳＩＭプロファイル要求をＵＥ１１０に送信することを促し得る。ＵＥ１１０は、３４０において、ＶＳＩＭアクセスポイントネーム（ＡＰＮ）とのデータコールを開始し得る。ひとたびデータコールが接続３４５されるとＵＥ１１０は、周辺デバイス２０５−ａのためのＶＳＩＭプロファイルを求める要求をネットワーク１０５に送信し得る。３５５において、ＶＳＩＭサーバ（ネットワークエンティティ１０５）は、周辺デバイスに一意のＶＳＩＭプロファイルを割り振り得、割り振られたＶＳＩＭプロファイルをＵＥ１１０に転送し得る。いくつかの態様では、ＶＳＩＭサーバからＶＳＩＭプロファイルを受信した後に、ＵＥ１１０は、ＵＥ１１０に関連する１つまたは複数の周辺デバイス２０５のための割り当てられたＶＳＩＭプロファイルまたは仮想識別子のリストを維持するそれの仮想識別子周辺機器データベースを更新し得る。ＵＥ１１０はさらに、３６０において、非セルラ（例えば、Ｂｌｕｅｔｏｏｔｈ／Ｗｉ−Ｆｉ）通信リンクを使用して、周辺デバイス２０５にＶＳＩＭプロファイルを割り振り得る。３６５において、周辺デバイス２０５は、ＶＳＩＭプロファイルの受信をＵＥ１１０にアクノレッジし得る。いくつかの態様では、上述したものと同様のプロシージャは、３７０において、周辺デバイス２０５−Ｎの各々がＵＥ１１０のモバイルデバイスＩＤに基づいたそれらのそれぞれの一意の仮想識別子を割り当てられるまで、ＵＥ１１０に関連する１つまたは複数の周辺デバイス２０５の各々について実施され得る。
【００４９】
[0058]  図４は、本開示の例示的な実施形態による、１つまたは複数の周辺デバイスが短距離通信チップの有効範囲内にあり得るとき、ネットワーク、ＵＥ、１つまたは複数の周辺デバイス間の通信を管理することのフローチャート４００である。
【００５０】
[0059]  例示された例では、ＵＥ１１０およびネットワークエンティティ１０５は、上で図３を参照して説明されたようなアタッチ要求４０５およびアタッチ承認応答４１０に基づいて、アタッチプロシージャを完了し得る。いくつかの例では、４１５において、複数の周辺デバイス２０５の各々は、上で図３において特定された技法に従って、それらのそれぞれの一意のＶＳＩＭを割り振られ得る。４２０において、ＵＥ１１０と１つまたは複数の周辺デバイス２０５との間の通信は、１つまたは複数の周辺デバイス２０５のためのセルラ無線機（セルラモデム）がスリープモードに維持され得るように、非セルラ接続性技術（例えば、Ｂｌｕｅｔｏｏｔｈ／Ｗｉ−Ｆｉ）を介して確立され得る。
【００５１】
[0060]  この時間期間の間には、ＵＥ１１０のみがネットワークエンティティ１０５についてアクティブであり得るので、ネットワークエンティティ１０５は、４２５において、ＵＥ１１０のモバイルデバイスＩＤを対象とするすべての着信（incoming）コール、通知、およびメッセージを、ＵＥ１１０自体に転送し得る。
【００５２】
[0061]  ４３０において、ＵＥ１１０は、（例えば、スマートウォッチ上にテキストメッセージを表示すること、またはコールをワイヤレスヘッドセットに転送することによって）１つまたは複数の周辺デバイス２０５に着信メッセージを通知し得る。同様に４３５において、１つまたは複数の周辺デバイス２０５から生じるいかなるメッセージも、ＵＥ１１０を介してネットワーク１０５にルーティングされ得る。例えば、４３５において、１つまたは複数の周辺デバイス２０５は、ＵＥ１１０に音声またはデータパケットの送信を開始するための要求を送信し得る。ＵＥ１１０は今度は、４４０において、受信されたパケットをネットワークエンティティ１０５に転送し得る。４４５において、コール接続インジケーションがネットワークからＵＥ１１０に送られ、４５０において、ＵＥ１１０から１つまたは複数の周辺デバイス２０５に転送され得る。
【００５３】
[0062]  図５は、本開示の態様による、周辺デバイス２０５およびＵＥ１１０がもはや非セルラ技術を通して接続されないときにトラフィックを管理する例示的な方法５００のフローチャートである。方法５００は、図１〜図４を参照して説明されたネットワークエンティティ、ＵＥ、および周辺デバイスと類似し得るネットワークエンティティ１０５、ＵＥ１１０、および１つまたは複数の周辺機器デバイズ２０５を例示する。
【００５４】
[0063]  ５０５において、ＵＥおよびネットワークは、図３および図４を参照して上述したように、アタッチプロシージャを完了し得る。５１０において、１つまたは複数の周辺デバイスは、図３に記載されたステップに従って、ＶＳＩＭプロファイルを割り振られ得る。ＵＥ１１０に関連する１つまたは複数の周辺デバイスのための仮想識別子を取得すると、ＵＥ１１０は、５１５において、補足サービスメッセージをネットワーク１０５に送信し得る。いくつかの例では、補足サービスメッセージは、ＵＥに関連する１つまたは複数のアクティブな周辺デバイスを識別し得る。追加的に、または代替的に、補足サービスメッセージはさらに、ネットワークエンティティが複数の周辺デバイスにコンタクトするべき順序を識別する、周辺デバイスの優先順位リストを含み得る。リストは、ユーザによって、彼または彼女の選好に基づいて生成され得る。いくつかの例では、ネットワークエンティティ１０５は、補足サービスメッセージに基づいて、ＵＥ１１０および周辺デバイスのＩＰアドレス／ＶＩＭＳＩのルーティングテーブルを更新し得る。５２０において、ネットワークは、補足サービスアクノレッジメントをＵＥ１１０に送信し得る。５２５において、周辺デバイス２０５およびＵＥ１１０が短距離接続性（例えば、ＢｌｕｅｔｏｏｔｈまたはＷｉ−Ｆｉ）を通してもはや接続されないとき、１つまたは複数の周辺デバイス２０５のセルラモデムは、アクティベートされ得る。
【００５５】
[0064]  ５３０において、１つまたは複数の周辺デバイスは、アタッチメッセージをネットワークエンティティに送信し得る。ネットワークエンティティは、それに応じて、５３５において、ＵＥに関連する通信が、ＵＥまたは周辺デバイスのいずれに送信されることになるかを識別するそれのルーティングネットワークセッティングを更新し得る。ネットワークエンティティ１０５はまた、アタッチされたプロシージャが完了したことを示す、アタッチ承認メッセージを、要求している周辺デバイス２０５−ａに送信し返し得る。同様に５４０において、１つまたは複数の追加的な周辺デバイス２０５−Ｎは、アタッチ要求をネットワークエンティティ１０５に送信し得、およびネットワークエンティティは、５４５において、同様のやり方で、アクノレッジメントメッセージで応答し得る。
【００５６】
[0065]  ５５０において、ＵＥ１１０のＩＭＳＩを対象とした着信パケットまたはコールがネットワークエンティティ１０５において受信されるとき、ネットワークエンティティ１０５は、１つまたは複数の周辺デバイス２０５およびそれらの対応する仮想ＳＩＭプロファイルを識別するために、ルーティングテーブルを参照し得る。ネットワークエンティティ１０５はまた、周辺デバイスがネットワークエンティティにアタッチされるとき、パケットを、仮想識別子に基づいて、ＵＥを介してそれらをルーティングすることなく、ネットワークエンティティから周辺デバイスに送信することを開始し得る。いくつかの例では、ネットワークエンティティ１０５は、ＵＥから補足サービスメッセージ中で受信された優先順位リストに基づいて、複数の周辺デバイス２０５のうちのいずれが、パケットまたは着信コールを転送するためのものかを決定し得る。
【００５７】
[0066]  ５３５において、最も高い優先順位の周辺デバイス２０５が送信されたパケットの受領またはそれへの応答（例えば、ネットワークエンティティ１０５が成功した送信のアクノレッジメントを受信すること）に失敗する場合、ネットワークエンティティ１０５は、事前決定された数のリトライに続いて、５６０において、優先順位リストにおける次に高い優先順位の周辺デバイス２０５−Ｎにパケットを転送することを試み得る。５６５において、例えば２番目に高い優先順位の周辺デバイス２０５−Ｎが応答するとき、周辺デバイス２０５−Ｎおよびネットワークエンティティ１０５は、その周辺機器と通信を確立し得る。同様に、周辺デバイス２０５は、５７０および５７５において、ＵＥ１１０の関与なしに、ネットワークエンティティ１０５と通信（データまたは音声）を生じさせ得る。
【００５８】
[0067]  しかしながら、例えば、５８０において、ＵＥ１１０および周辺デバイス２０５が短距離通信技術の有効範囲に戻るとき、周辺デバイス２０５は、５８５において、ネットワークエンティティから分離し得る。５９０において、ネットワークは、分離をアクノレッジし、ＵＥ１１０と通信すること（すなわち、周辺デバイス２０５ではなくＵＥ１１０からパケットを受信することおよび転送すること）を再開し得る。そのようなインスタンスでは、ＵＥ１１０は、動作を再開するために、スリープモードからアクティブモードに戻り得る。いくつかの例では、周辺デバイスの近くに戻るＵＥ１１０は、（例えば、ＵＥと周辺機器との間の近接間隔がしきい値より狭いことのインジケーション等の）１つまたは複数の第２のトリガを満たし得る。したがって、ＵＥ１１０は、再アタッチメントプロシージャを開始するために再アタッチメッセージをネットワークエンティティに送信し、ネットワークエンティティとの通信を再開し得る。
【００５９】
[0068]  図６は、本開示の態様による、例示的な方法６００のフローチャートである。方法６００は、（例えば、コアネットワーク１１５、ＶＳＩＭサーバ、または基地局１０５のいずれかであり得るネットワークエンティティ１０５等の）装置を使用して実施され得る。方法６００は、ネットワークエンティティ１０５の要素に関して以下で説明されるが、ここに説明されるステップのうちの１つまたは複数をインプリメントするために、他のコンポーネントが使用され得る。
【００６０】
[0069]  ブロック６０５において、方法は、ネットワークエンティティにおいて、ユーザ装置（ＵＥ）とペアにされた周辺デバイスのための仮想加入者情報モジュール（ＶＳＩＭ）プロファイルを割り振るための要求をＵＥから受信することを含み得る。ブロック６０５の態様は、図８を参照して説明される受信機８０６およびモデム８１４によって実施され得る。
【００６１】
[0070]  ブロック６１０において、方法は、ＶＳＩＭプロファイルを求める要求に部分的に基づいて、ＵＥのモバイルデバイスアイデンティフィケーションを決定することを含み得る。いくつかの例では、ＵＥのモバイルデバイスアイデンティフィケーションは、ＵＥ１１０に関連するＩＭＳＩであり得る。ブロック６１０の態様は、図８を参照して説明される仮想ＳＩＭ割振りコンポーネント８０５によって実施され得る。
【００６２】
[0071]  ブロック６１５において、方法は、ＵＥのモバイルデバイスアイデンティフィケーションに基づいて、周辺デバイスに仮想識別子を割り振ることを含み得る。いくつかの例では、仮想識別子は、ＶＳＩＭプロファイル、ＶＩＭＳＩ、またはＵＥ１１０と識別可能に相互に関連付けられ得るいかなる仮想識別子でもあり得る。いくつかの例では、方法はさらに、ネットワークエンティティにおいて、ＵＥから補足サービスメッセージを受信することを備え得る。補足サービスメッセージは、ＵＥとペアにされた複数の周辺デバイスからのアクティブな周辺デバイスのサブセットを識別し得る。いくつかの態様では、補足サービスメッセージはさらに、ＵＥとペアにされた周辺デバイスの優先順位リストを含み得る。したがって、ネットワークエンティティは、補足サービスメッセージに少なくとも部分的に基づいて、ネットワークルーティングセッティングを更新し得る。ブロック６１５の態様は、図８を参照して説明されるＶＳＩＭ割当てコンポーネント８１０によって実施され得る。
【００６３】
[0072]  ブロック６２０において、方法は、ネットワークエンティティからＵＥに、１つまたは複数のペアにされた周辺デバイスのための仮想識別子を送信することを含み得る。方法はさらに、ＵＥから補足サービスメッセージを受信することに応答して、補足サービスアクノレッジメントを送信することを含み得る。ブロック６２０の態様は、図８を参照して説明されるトランシーバ８０２によって実施され得る。
【００６４】
[0073]  ブロック６２５において、仮想識別子を１つまたは複数の周辺デバイスに割り振り、情報をＵＥに送信すると、ネットワークデバイスは、オプションとして、ネットワークから分離するというＵＥの意向を示す分離メッセージをＵＥから受信し得る。いくつかの例では、ＵＥは、より低い電力モードまたはスリープモードに入り得る。ブロック６２５の態様は、図８を参照して説明される受信機８０６およびモデム８１４によって実施され得る。
【００６５】
[0074]  ブロック６３０において、ネットワークエンティティは、オプションとして、分離メッセージに少なくとも部分的に基づいて、ルーティングネットワークセッティングを更新し得る。ルーティングネットワークセッティングは、ＵＥに関連する通信が、ＵＥまたは周辺デバイスのいずれに送信されることになるかを識別し得る。ブロック６３０の態様は、図８を参照して説明されるネットワークルーティングコンポーネント８１５によって実施され得る。
【００６６】
[0075]  図７は、本開示の態様による例示的な方法７００のフローチャートである。方法７００は、（例えば、ＵＥ１１０等の）装置を使用して実施され得る。方法７００は、ＵＥ１１０の要素に関して以下で説明されるが、ここに説明されるステップのうちの１つまたは複数をインプリメントするために、他のコンポーネントが使用され得る。
【００６７】
[0076]  ブロック７０５において、方法は、ＵＥと周辺デバイスとの間で通信を確立することを含み得る。いくつかの例では、ＵＥと周辺デバイスとの間の通信は、非セルラ短距離通信技術（例えば、ＢｌｕｅｔｏｏｔｈまたはＷｉ−Ｆｉ）を介して確立され得る。ブロック７０５の態様は、図９を参照して説明されるＲＦフロントエンド９８８、トランシーバ９０２、およびモデム９１４の組合せによって実施され得る。
【００６８】
[0077]  ブロック７１０において、方法は、ＵＥにおいて、周辺デバイスから、ＶＳＩＭプロファイルを求める要求を受信することを含み得る。いくつかの例では、ＶＳＩＭプロファイル要求は、ＷＡＮの利用可能性に関する、ＵＥから周辺デバイスに送られた通知に応答して、受信され得る。ブロック７０５の態様は、図９を参照して説明される受信機９０６によって実施され得る。
【００６９】
[0078]  ブロック７１５において、方法はさらに、ネットワークエンティティに対して周辺デバイスのためのＶＳＩＭプロファイルを要求するために、ネットワークエンティティとデータコールを開始することを含み得る。いくつかの例では、ブロック７１５の態様は、周辺機器管理コンポーネント９０５によって実施され得る。
【００７０】
[0079]  ブロック７２０において、方法は、要求に応答して、ネットワークエンティティから仮想識別子を受信することを含み得る。いくつかの例では、ＵＥおよびＶＳＩＭプロファイル管理コンポーネント９１０は、ネットワークエンティティから仮想識別子を受信することに基づいて、仮想識別子周辺機器データベースを更新し、割り振られた仮想識別子を、非セルラ短距離通信ネットワークを介して周辺デバイスに送信し得る。ブロック７２０の態様は、図９を参照して説明される受信機９０６によって実施され得る。
【００７１】
[0080]  ブロック７２５において、方法はまた、オプションとして、ＵＥからネットワークエンティティに送信することを含み得る。補足サービスメッセージは、ＵＥに関連する１つまたは複数のアクティブな周辺デバイスを識別し得る。いくつかの態様では、補足サービスメッセージはさらに、アクティブな周辺デバイスのサブセットがしきい値を超えるとき、周辺デバイスの優先順位リストを含み、優先順位リストは、ネットワークエンティティが複数の周辺デバイスにコンタクトするべき順序を識別する。ＵＥの優先順位およびアクティベーション特徴は、図９を参照して説明される優先順位およびアクティベーションコンポーネント９１５によって実施され得る。
【００７２】
[0081]  ブロック７３０において、方法は、１つまたは複数の第１のトリガが満たされたかどうかを決定し、ネットワークから分離する意向を示す分離メッセージを、ネットワークエンティティに送信し得る。いくつかの例では、１つまたは複数の第１のトリガは、ＵＥと周辺機器との間の近接間隔がしきい値を超えることのインジケーションを含み得る。分離メッセージを送信し、ネットワークエンティティからアクノレッジメントを受信すると、ＵＥ１１０は、シグナリングオーバヘッドを減少させおよび電力を節約するために、電力節約モードに入り得る。ブロック７３０の態様は、図９を参照して説明されるトランシーバ９０２によって実施され得る。
【００７３】
[0082]  図８〜図１０は、本開示の様々な態様に従ってここに説明される１つまたは複数の方法をインプリメントするためのネットワークエンティティ１０５、ＵＥ１１０、および周辺デバイス２０５のハードウェアコンポーネントおよびサブコンポーネントを説明する。簡潔さのために、複数のデバイスの各々にわたって繰り返される（replicated across）特徴（例えば、プロセッサ、メモリ、モデム、トランシーバ、およびＲＦフロントエンド）は、図８のみを参照して説明され得、他のデバイスにおいて同様の機能を実施するものと理解されるべきである。
【００７４】
[0083]  まず図８を参照すると、多様なコンポーネントを含み得るネットワークエンティティ１０５のインプリメンテーションの１つの例であって、それら多様なコンポーネントのうちのいくつかは既に上述されたが、１つまたは複数のバス８４４を介して通信している１つまたは複数のプロセッサ８１２およびメモリ８１４およびトランシーバ８０２のようなコンポーネントを含むものであり、それは、本開示の１つまたは複数の方法を含むことに関する、ここに説明される機能のうちの１つまたは複数を可能にするために、仮想ＳＩＭ割振りコンポーネント８０５と併せて動作し得る。仮想ＳＩＭ割振りコンポーネント８０５はさらに、着信パケットをＵＥまたは周辺デバイスのいずれにルーティングするかを決定するための、ネットワークルーティングコンポーネント８１５およびＶＳＩＭ割当てコンポーネント８１０を含み得る。さらに、１つまたは複数のプロセッサ８１２、モデム８１４、メモリ８１６、トランシーバ８０２、ＲＦフロントエンド８８８、および１つまたは複数のアンテナ８６５は、１つまたは複数の無線アクセス技術で音声および／またはデータコールを（同時にまたは非同時に）サポートするように構成され得る。
【００７５】
[0084]  一態様では、１つまたは複数のプロセッサ８１２は、１つまたは複数のモデムプロセッサを使用するモデム８１４を含むことができる。仮想ＳＩＭ割振りコンポーネント８０５に関する様々な機能は、モデム８１４および／またはプロセッサ８１２に含まれ得、一態様では、単一のプロセッサによって実行されることができる一方で、他の態様では、それら機能のうちの異なる複数のものは、２つ以上の異なるプロセッサの組合せによって実行され得る。例えば、一態様では、１つまたは複数のプロセッサ８１２は、トランシーバ８０２に関連するトランシーバプロセッサ、または受信機プロセッサ、または送信プロセッサ、またはデジタルシグナルプロセッサ、またはベースバンドプロセッサ、またはモデムプロセッサのうちのいずれの１つも、またはそれらのいかなる組合せも含み得る。他の態様では、仮想ＳＩＭ割振りコンポーネント８０５に関連する１つまたは複数のプロセッサ８１２および／またはモデム８１４の特徴のうちのいくつかは、トランシーバ８０２によって実施され得る。
【００７６】
[0085]  また、メモリ８１４は、少なくとも１つのプロセッサ８１２によって実行される、仮想ＳＩＭ割振りコンポーネント８０５および／またはそれのサブコンポーネントのうちの１つまたは複数またはアプリケーションのローカルバージョンおよび／またはここで使用されるデータを記憶するように構成され得る。メモリ８１６は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組合せ等の、コンピュータまたは少なくとも１つのプロセッサ８１２によって使用可能な、いかなるタイプのコンピュータ読み取り可能な媒体も含むことができる。一態様では、例えば、メモリ８１６は、ネットワークエンティティ１０５が仮想ＳＩＭ割振りコンポーネント８０５および／またはそれのサブコンポーネントのうちの１つまたは複数を実行するように少なくとも１つのプロセッサ８１２を動作させているとき、仮想ＳＩＭ割振りコンポーネント８０５および／またはそれのサブコンポーネントのうちの１つまたは複数、および／またはそれらに関連したデータを定義する１つまたは複数のコンピュータ実行可能なコードを記憶する非一時的なコンピュータ読み取り可能な記憶媒体であり得る。
【００７７】
[0086]  トランシーバ８０２は、少なくとも１つの受信機８０６および少なくとも１つの送信機８０８を含み得る。受信機８０６は、ハードウェア、ファームウェア、および／またはデータを受信するためにプロセッサによって実行可能なソフトウェアコードを含み得、コードは、命令を備えかつメモリ（例えば、コンピュータ読み取り可能な媒体）に記憶される。受信機８０８は、例えば、無線周波数（ＲＦ）受信機であり得る。一態様では、受信機８０６は、少なくとも１つの基地局１０５によって送信された信号を受信し得る。さらに、受信機８０６は、そのような受信信号を処理し得、また、限定するわけではないが、例えば、Ｅｃ／Ｉｏ、ＳＮＲ、ＲＳＲＰ、ＲＳＳＩ等の信号の測定値を取得し得る。送信機８０８は、ハードウェア、ファームウェア、および／またはデータを送信するためにプロセッサによって実行可能なソフトウェアコードを含み得、コードは、命令を備えかつメモリ（例えば、コンピュータ読み取り可能な媒体）に記憶される。送信機３０８の好適な例は、ＲＦ送信機を含み得るが、それに限定されるわけではない。
【００７８】
[0087]  また、一態様では、基地局１０５は、ＲＦフロントエンド８８８を含み得、それは、例えば少なくとも１つの基地局１０５によって送信されるワイヤレス通信またはＵＥ１１０によって送信されるワイヤレス送信等の無線送信を、受信および送信するために、トランシーバ８０２および１つまたは複数のアンテナ８６５と通信して動作し得る。ＲＦフロントエンド８８８は、１つまたは複数のアンテナ８６５に接続され得、ＲＦ信号を送信および受信するための１つまたは複数の低雑音増幅器（ＬＮＡ）８９０、１つまたは複数のスイッチ８９２、１つまたは複数の電力増幅器（ＰＡ）８９８、および１つまたは複数のフィルタ８９６を含むことができる。
【００７９】
[0088]  一態様では、ＬＮＡ８９０は、所望の出力レベルで受信信号を増幅することができる。一態様では、各ＬＮＡ８９０は、指定された最小および最大利得値を有し得る。一態様では、ＲＦフロントエンド８８８は、特定のアプリケーションのための所望の利得値に基づいて特定のＬＮＡ８９０およびそれの指定された利得値を選択するために、１つまたは複数のスイッチ８９２を使用し得る。
【００８０】
[0089]  さらに、例えば、１つまたは複数のＰＡ８９８は、所望の出力電力レベルでのＲＦ出力のために信号を増幅するため、ＲＦフロントエンド８８８によって使用され得る。一態様では、各ＰＡ８９８は、指定された最小および最大利得値を有し得る。一態様では、ＲＦフロントエンド１０８８は、特定のアプリケーションのための所望の利得値に基づいて特定のＰＡ８９８およびそれの指定された利得値を選択するために、１つまたは複数のスイッチ８９２を使用し得る。
【００８１】
[0090]  また、例えば、１つまたは複数のフィルタ８９６は、受信信号をフィルタリングして入力ＲＦ信号を取得するために、ＲＦフロントエンド８８８によって使用されることができる。同様に、一態様では、例えば、それぞれのフィルタ８９６は、それぞれのＰＡ８９８からの出力をフィルタリングして、送信するための出力信号を生み出すために使用されることができる。一態様では、各フィルタ８９６は、特定のＬＮＡ８９０および／またはＰＡ８９８に接続されることができる。一態様では、ＲＦフロントエンド８８８は、トランシーバ１００２および／またはプロセッサ８１２によって指定された構成に基づいて、指定されたフィルタ８９６、ＬＮＡ８９０、および／またはＰＡ８９８を使用して送信または受信経路を選択するために、１つまたは複数のスイッチ８９２を使用することができる。
【００８２】
[0091]  したがって、トランシーバ８１２は、ＲＦフロントエンド８８８を介して１つまたは複数のアンテナ２６５を通してワイヤレス信号を送信および受信するように構成され得る。一態様では、トランシーバは、基地局１０５が、例えば、１つまたは複数の基地局１０５に関連する１つまたは複数のセルまたは１つまたは複数のＵＥ１１５と通信することができるように、指定された周波数で動作するようにチューニングされ得る。一態様では、例えば、モデム８１４は、モデム８１４によって使用される通信プロトコルおよび基地局１０５構成に基づいて、指定された周波数および電力レベルで動作するようにトランシーバ８０２を構成することができる。
【００８３】
[0092]  一態様では、モデム８１４は、マルチバンドマルチモードモデムであることができ、それは、デジタルデータを処理し、トランシーバ８０２を使用してデジタルデータが送られるおよび受信されるように、トランシーバ８０２と通信することができる。一態様では、モデム８１４は、マルチバンドであることができ、特定の通信プロトコルについて複数の周波数バンドをサポートするように構成されることができる。一態様では、モデム８１４は、マルチモードであることができ、複数の動作ネットワークおよび通信プロトコルをサポートするように構成されることができる。一態様では、モデム８１４は、指定されたモデム構成に基づいてネットワークからの信号の送信および／または受信を可能にするために、ＵＥ１１０の１つまたは複数のコンポーネント（例えば、ＲＦフロントエンド８８８、トランシーバ８０２）を制御することができる。一態様では、モデム構成は、使用される周波数バンドおよびモデムのモードに基づくことができる。別の態様では、モデム構成は、セル選択および／またはセル再選択の間にネットワークによって提供される、ネットワークエンティティ１０５に関連するネットワーク構成情報に基づくことができる。
【００８４】
[0093]  今度は図９に移って、ＵＥ１１０のハードウェア構造９００が説明される。上述したように、プロセッサ、モデム、トランシーバ、ＲＦフロントエンドを含む、いくつかのコンポーネントおよびサブコンポーネントは、図８を参照して説明されるものと類似し得る。ＵＥ１１０のモデム９１４はさらに、ネットワークエンティティから仮想識別子を受信することに基づいて仮想識別子周辺機器データベースを更新する、ＶＳＩＭプロファイル管理コンポーネント９１０を含む周辺機器管理コンポーネント９０５を含み得る。周辺機器管理コンポーネント９０５はさらに、複数の周辺デバイスがコンカレントにアクティブであるときに複数の周辺デバイスの優先順位を管理するための優先順位およびアクティベーションコンポーネント９１５を含み得る。周辺機器管理コンポーネント９０５は、プロセッサ９１２および／またはモデム９１４と併せて、または上述したようにプロセッサ自体の一部として、機能し得る。
【００８５】
[0094]  図１０を参照すると、周辺デバイス２０５のハードウェア構造１００が説明される。簡潔さのために、重複したコンポーネント（the duplicate components）は、ここでは繰り返されない。周辺デバイスは、それがＵＥから独立してネットワークとセルラ通信を確立し得るように、セルラモデムならびに短距離通信技術（例えば、ＢｌｕｅｔｏｏｔｈおよびＷｉ−Ｆｉ）を介して通信するように構成されるデュアル無線デバイスであり得る。いくつかの例では、周辺デバイス２０５は、対応するＵＥのモバイルデバイスＩＤに関連する仮想識別子または仮想ＳＩＭプロファイルを維持し得る。１つまたは複数の例において、周辺デバイス２０５の仮想ＳＩＭプロファイルコンポーネント１０１５は、ＷＡＮ利用可能性を通知されることに応答して、ＵＥ１１０に対してＶＳＩＭプロファイルを要求し得る。周辺デバイスはまた、アクティブであるとき、通信を確立するためにネットワークとのアタッチプロシージャを開始し得る。仮想ＳＩＭプロファイルコンポーネント１０１５は、プロセッサ１０１２および／またはモデム１０１４の一部であり得るか、プロセッサと併せて動作する別個のコンポーネントであり得る。
【００８６】
[0095]  添付の図面に関連して上述された上の詳細な説明は、例を説明するものであり、特許請求の範囲の適用範囲にある、またはインプリメントされ得るのは、それらの例のみであるということを表すわけではない。この説明で使用されるとき、「例」という用語は、「例、事例、または例示としての役割を果たす」ことを意味し、「より好ましい」または「他の例よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造および装置は、説明された例の概念を不明瞭にすることを避けるために、ブロック図の形式で示される。
【００８７】
[0096]  情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、コンピュータ読み取り可能な媒体上に記憶されたコンピュータ実行可能なコードまたは命令、あるいはそれらのいかなる組合せによっても表され得る。
【００８８】
[0097]  ここで本開示に関連して説明された様々な例示的なブロックおよびコンポーネントは、限定するわけではないが、例えば、ここに説明された機能を実施するように設計された、プロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、またはそれらの任意の組合せ等の特別にプログラムされたデバイスを用いてインプリメントまたは実施され得る。特別にプログラムされたプロセッサは、マイクロプロセッサであり得るが、別の方法では、プロセッサは、いかなる従来のプロセッサ、コントローラ、マイクロコントローラ、またはステートマシンでもあり得る。特別にプログラムされたプロセッサはまた、コンピューティングデバイスの組合せ、例えば、ＤＳＰとマイクロプロセッサとの組合せ、複数のマイクロプロセッサ、ＤＳＰコアと連携した１つまたは複数のマイクロプロセッサ、または任意の他のそのような構成としてもインプリメントされ得る。
【００８９】
[0098]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、非一時的なコンピュータ読み取り可能な媒体上の１つまたは複数の命令またはコードとして記憶または送信され得る。他の例およびインプリメンテーションが、添付の特許請求の範囲および本開示の適用範囲および精神内にある。例えば、ソフトウェアの性質に起因して、上述した機能は、特別にプログラムされたプロセッサ、ハードウェア、ファームウェア、ハードワイヤリング、またはこれらのうちの任意のものの組合せによって実行されるソフトウェアを使用してインプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、「のうちの少なくとも１つ」で終わる項目のリストで使用される「または（or）」は、例えば、「Ａ、ＢまたはＣのうちの少なくとも１つ」というリストが、ＡまたはＢまたはＣまたはＡＢまたはＡＣまたはＢＣまたはＡＢＣ（すなわち、ＡおよびＢおよびＣ）を意味するような、選言的なリスト（a disjunctive list）を示す。
【００９０】
[0099]  コンピュータ読み取り可能な媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体であり得る。限定ではなく例として、コンピュータ読み取り可能な媒体は、ＲＡＭ、ＲＯＭ、ＥＥＰＲＯＭ（登録商標）、ＣＤ−ＲＯＭ、または他の光ディスク記憶装置、磁気ディスク記憶装置または他の磁気記憶デバイス、あるいは、命令またはデータ構造の形態で所望のプログラムコード手段を搬送または記憶するために使用されることができ、かつ汎用または専用コンピュータ、あるいは汎用または専用プロセッサによってアクセスされることができるいかなる他の媒体も備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【００９１】
[00100]  本開示の先の説明は、当業者が本開示を製造するまたは使用することを可能にするために提供されている。本開示への様々な修正は、当業者にとって容易に明らかとなり、ここに定義された一般原理は、本開示の範囲または精神から逸脱することなく、他のバリエーションに適用され得る。さらに、説明された態様および／または実施形態の要素は、単数形で説明され得るまたは特許請求され得るが、単数形への限定が明記されていない限り、複数形が考慮されている。さらに、任意の態様および／または実施形態の一部または全体は、そうでないと記載されていない限り、任意の他の態様および／または実施形態の一部または全体とともに利用され得る。したがって、本開示は、ここに説明された例および設計に限定されるべきではなく、ここに開示された原理および新規な特徴と一致する最も広い範囲を与えられるべきである。
【図１】
2019520004.tif 000003
【図２Ａ】
2019520004.tif 000004
【図２Ｂ】
2019520004.tif 000005
【図３】
2019520004.tif 000006
【図４】
2019520004.tif 000007
【図５】
2019520004.tif 000008
【図６】
2019520004.tif 000009
【図７】
2019520004.tif 000010
【図８】
2019520004.tif 000011
【図９】
2019520004.tif 000012
【図１０】
2019520004.tif 000013
【国際調査報告】
2019520004.tif 000014
2019520004.tif 000015